(57)【要約】【課題】特定の操作部材によらずに、設定変更した設定値を簡易に初期設定値に戻すことができる撮像装置を提供する。【解決手段】ネットワークカメラ２Ａは、外部センサなどに制御信号を出力し、計測信号が入力される外部出力部２５および外部入力部２６を備えている。そして、電源オンによるカメラ起動時には外部出力部２５から特定の識別信号が出力される。この信号出力の際、外部出力部２５のコネクタと外部入力部２６のコネクタとが接続ケーブル３Ａで接続されていると外部入力部２６に上記の識別信号が入力されるが、この場合には、ユーザが変更したＩＰアドレスなどの設定値を工場出荷時の初期設定値に戻すようにする。その結果、従来カメラに設けられていた初期値化のための操作部材によらずに、設定変更した設定値を簡易に初期設定値に戻すことが可能となる。【選択図】図１
2006054831.tif 000002
【特許請求の範囲】
【請求項１】
被写体に係る画像信号を生成する撮像部を有する撮像装置であって、
(a)所定の設定項目について初期設定値から変更された設定値の設定が可能な設定変更手段と、
(b)出力コネクタを介して外部装置に信号出力を行う出力手段と、
(c)入力コネクタを介して外部装置から信号入力を行う入力手段と、
(d)前記撮像装置が特定状態である場合に、前記出力手段によって前記出力コネクタから特定の信号を出力させる出力制御手段と、
(e)前記特定状態において前記出力コネクタと前記入力コネクタとが所定の信号接続機器を介して接続されることによって前記特定の信号が前記入力コネクタに入力される場合には、前記設定変更手段で変更された設定値を前記初期設定値に戻す初期化手段と、
を備える撮像装置。
【請求項２】
請求項１に記載の撮像装置において、
(f)前記撮像部の姿勢を変更する姿勢変更手段と、
(g)前記撮像部で生成された画像信号を送信する送信手段と、
をさらに備えることを特徴とする撮像装置。
【請求項３】
請求項１または請求項２に記載の撮像装置について、
前記特定状態は、電源オンによる前記撮像装置の起動状態であることを特徴とする撮像装置。
【請求項４】
請求項１ないし請求項３のいずれかに記載の撮像装置において、
前記出力手段は、
(b-1)音声出力コネクタを介して音声信号の出力を行う音声出力手段、
を有し、
前記入力手段は、
(c-1)音声入力コネクタを介して音声信号の入力を行う音声入力手段、
を有するとともに、
前記初期化手段は、
(e-1)前記音声出力コネクタと前記音声入力コネクタとが特定の信号接続機器を介して接続されることによって前記特定の信号が前記音声入力コネクタに入力される場合には、前記設定変更手段で変更された設定値を前記初期設定値に戻す手段、
を有することを特徴とする撮像装置。
【請求項５】
請求項１ないし請求項４のいずれかに記載の撮像装置において、
前記所定の設定項目は、ＩＰアドレスおよび／またはＷＥＰコードの設定に関する項目であることを特徴とする撮像装置。
【発明の詳細な説明】
【技術分野】
【０００１】
本発明は、被写体に係る画像信号を生成する撮像装置に関する。
【背景技術】
【０００２】
ネットワークカメラなどにおいては、ユーザが独自にＩＰアドレスやＷＥＰコードを設定できるものがある。
【０００３】
しかし、ユーザが以前に変更したＩＰアドレスやＷＥＰコードを忘れてしまった場合には、カメラへのアクセスや制御が不可能になるという問題がある。
【０００４】
そこで、上記の問題を解消するために、ＩＰアドレスなどを工場出荷時の初期設定値に戻す専用ボタンが設けられたネットワークカメラが製品化されている(非特許文献１参照)。
【０００５】
このような専用スイッチに関して簡単に説明する。
【０００６】
図８は、従来技術に係るネットワークカメラ９の要部構成を示す機能ブロック図である。
【０００７】
ネットワークカメラ９は、被写体画像を取得する画像入力部９０と、画像入力部９０の姿勢を変更するためのパン駆動部９１およびチルト駆動部９２と、これらの各部に伝送可能に接続する制御部９９とを備えている。また、ネットワークカメラ９は、制御部９９に接続する記憶部９３と通信部９４と、外部センサ等と信号の授受を行う外部出力部９５および外部入力部９６とを備えている。
【０００８】
さらに、ネットワークカメラ９は、上述のようにＩＰアドレスなどを初期設定値に戻すための初期化スイッチ９７を有している。この初期化スイッチ９７の押下により、設定変更したＩＰアドレスなどをユーザが忘れた場合でも、既知の初期設定値に簡易に復帰するため、ネットワークカメラ９に対するアクセスや制御が不可能とならない。
【０００９】
【非特許文献１】”Ｐａｎａｓｏｎｉｃ  ネットワークカメラ  取扱説明書（応用編）  ＫＸ−ＨＣＭ１  ＫＸ−ＨＣＭ２  ＫＸ−ＨＣＭ１３０  ＫＸ−ＨＣＭ１７０”、パナソニック  コミュニケーションズ株式会社、２００３年、ｐ８０
【発明の開示】
【発明が解決しようとする課題】
【００１０】
しかしながら、上記の従来技術では、特定の操作部品である初期化スイッチ９７をネットワークカメラ９に実装する必要があるので、この設置スペースを確保するためにカメラが大型化し、コストも増大してしまう。
【００１１】
本発明は、上記課題に鑑みてなされたものであり、特定の操作部材によらずに、設定変更した設定値を簡易に初期設定値に戻すことができる撮像装置を提供することを目的とする。
【課題を解決するための手段】
【００１２】
上記の課題を解決するため、請求項１の発明は、被写体に係る画像信号を生成する撮像部を有する撮像装置であって、(a)所定の設定項目について初期設定値から変更された設定値の設定が可能な設定変更手段と、(b)出力コネクタを介して外部装置に信号出力を行う出力手段と、(c)入力コネクタを介して外部装置から信号入力を行う入力手段と、(d)前記撮像装置が特定状態である場合に、前記出力手段によって前記出力コネクタから特定の信号を出力させる出力制御手段と、(e)前記特定状態において前記出力コネクタと前記入力コネクタとが所定の信号接続機器を介して接続されることによって前記特定の信号が前記入力コネクタに入力される場合には、前記設定変更手段で変更された設定値を前記初期設定値に戻す初期化手段とを備える撮像装置。
【００１３】
また、請求項２の発明は、請求項１の発明に係る撮像装置において、(f)前記撮像部の姿勢を変更する姿勢変更手段と、(g)前記撮像部で生成された画像信号を送信する送信手段とをさらに備える。
【００１４】
また、請求項３の発明は、請求項１または請求項２の発明に係る撮像装置について、前記特定状態は、電源オンによる前記撮像装置の起動状態である。
【００１５】
また、請求項４の発明は、請求項１ないし請求項３のいずれかの発明に係る撮像装置において、前記出力手段は、(b-1)音声出力コネクタを介して音声信号の出力を行う音声出力手段を有し、前記入力手段は、(c-1)音声入力コネクタを介して音声信号の入力を行う音声入力手段を有するとともに、前記初期化手段は、(e-1)前記音声出力コネクタと前記音声入力コネクタとが特定の信号接続機器を介して接続されることによって前記特定の信号が前記音声入力コネクタに入力される場合には、前記設定変更手段で変更された設定値を前記初期設定値に戻す手段を有する。
【００１６】
また、請求項５の発明は、請求項１ないし請求項４のいずれかの発明に係る撮像装置において、前記所定の設定項目は、ＩＰアドレスおよび／またはＷＥＰコードの設定に関する項目である。
【発明の効果】
【００１７】
請求項１ないし請求項５の発明によれば、撮像装置の特定状態において出力コネクタと入力コネクタとが所定の信号接続機器を介して接続されることによって、出力コネクタから出力された特定の信号が入力コネクタに入力される場合には、設定変更された設定値を初期設定値に戻すため、特定の操作部材によらずに初期設定値に簡易に戻すことができる。
【００１８】
特に、請求項３の発明においては、特定状態は、電源オンによる撮像装置の起動状態であるため、適切なタイミングで初期設定値に戻すことができる。
【００１９】
また、請求項４の発明においては、音声出力コネクタと音声入力コネクタとが特定の信号接続機器を介して接続されることによって特定の信号が音声入力コネクタに入力される場合には、設定変更された設定値を初期設定値に戻す。その結果、音声用のコネクタを利用できるため、コストの低減が図れる。
【００２０】
また、請求項５の発明においては、所定の設定項目がＩＰアドレスおよび／またはＷＥＰコードの設定に関する項目であるため、ＩＰアドレスやＷＥＰコードをユーザが忘れた場合でも、撮像装置に対するアクセスや制御が不可能な状態に陥いることを防止できる。
【発明を実施するための最良の形態】
【００２１】
＜第１実施形態＞
＜画像処理装置の構成＞
図１は、本発明の第１実施形態に係るカメラシステム１Ａの要部構成を示す機能ブロック図である。
【００２２】
カメラシステム１Ａは、撮像装置としてのネットワークカメラ(以下では「カメラ」と略称する)２Ａと、接続ケーブル３Ａとを備えている。
【００２３】
カメラ２Ａは、例えば監視カメラとして構成されており、被写体画像を取得する画像入力部２０と、画像入力部２０の姿勢を変更するためのパン駆動部２１およびチルト駆動部２２と、これらの各部に伝送可能に接続する制御部２９Ａとを備えている。
【００２４】
画像入力部２０は、例えばＣＣＤなどの固体撮像素子および撮影レンズを有しており、被写体を撮像し、その画像信号を生成する撮像部として機能する。
【００２５】
パン駆動部２１は、例えばステップモータで駆動され、画像入力部２０を左右方向に移動させる。
【００２６】
チルト駆動部２２は、例えばステップモータで駆動され、画像入力部２０を上下方向に移動させる。
【００２７】
また、カメラ２Ａは、制御部２９Ａに接続する記憶部２３と通信部２４と外部出力部２５と外部入力部２６とを備えている。
【００２８】
記憶部２３は、画像入力部２０で取得された撮影画像データや、プログラムデータ、通信データなどを記憶するメモリとして働く。
【００２９】
通信部２４は、インターネットなどを介してカメラ２Ａの外部と通信するための部位であり、例えば画像入力部２０で生成された被写体の画像信号を、カメラ２Ａにアクセスするユーザのコンピュータ等に送信する。
【００３０】
外部出力部２５は、信号出力用のコネクタ(出力コネクタ)を有し、カメラ２Ａ外部のセンサ(外部装置)、例えば赤外センサなどを制御するための制御信号を出力する。
【００３１】
外部入力部２６は、信号入力用のコネクタ(入力コネクタ)を有し、カメラ２Ａ外部のセンサ(外部装置)、例えば赤外センサなどからの計測信号が入力される。
【００３２】
制御部２９Ａは、ＣＰＵおよびメモリを有しており、カメラ２Ａの動作を統括制御する部位である。
【００３３】
また、制御部２９Ａは、電源オンによるカメラ２Ａの起動状態である場合には、図２に示す識別信号ＳＧを外部出力部２５の出力コネクタから一定時間だけ出力させる制御を行う。この識別信号ＳＧは、期間Ｔ１、Ｔ３、Ｔ５、Ｔ８において信号レベル１の「Ｈ」信号となり、期間Ｔ２、Ｔ４、Ｔ６、Ｔ７において信号レベル０の「Ｌ」信号となっている。
【００３４】
図１に戻って説明を続ける。
【００３５】
接続ケーブル３Ａは、外部出力部２５の出力コネクタと外部入力部２６の入力コネクタとに接続し、これらを電気的に短絡させるものである。
【００３６】
このような信号接続機器としての接続ケーブル３Ａにより、外部出力部２５から出力された信号は、外部入力部２６に直接入力されることとなるが、この接続状態を利用して、以下で説明するカメラ２Ａの初期値化が行われる。
【００３７】
＜カメラ２Ａの初期値化＞
カメラ２Ａでは、上述のように起動時に識別信号ＳＧ(図２)が外部出力部２５から出力されるが、この際、接続ケーブル３Ａにより外部出力部２５と外部入力部２６とが接続されている場合には、識別信号ＳＧが外部入力部２６に入力されることとなる。
【００３８】
そして、外部入力部２６に入力された識別信号ＳＧを制御部２９Ａが検出した場合には、制御部２９Ａは、ＩＰアドレスに関して設定されている設定値を、カメラ２Ａの工場出荷時に設定されていた初期設定値に戻す処理を行うこととする。
【００３９】
これにより、接続ケーブル３Ａをカメラ２Ａに接続した状態でカメラ２Ａの起動を行えば、簡易にカメラ２Ａで設定されている設定値を初期化できることとなる。
【００４０】
なお、外部出力部２５が外部センサに接続されている場合に、カメラ２Ａの起動を行うと識別信号ＳＧが外部センサに入力されるが、識別信号ＳＧの出力時間を短時間(瞬時)にすることなどにより、外部センサへの影響は実質的に排除される。
【００４１】
以上のような構成を有するカメラ２Ａの動作について、以下で説明する。
【００４２】
＜カメラ２Ａの動作＞
図３は、カメラ２Ａの基本的な動作を示すフローチャートである。本動作は、カメラの起動直後の動作に対応しており、制御部２９Ａによって実行される。なお、カメラ２Ａでは、設定項目であるＩＰアドレスに関して工場出荷時の初期設定値から変更された設定値が設定されているものとする。
【００４３】
カメラ２Ａの電源オンによって起動されると、デバイスの初期化が行われる(ステップＳ１)。ここでは、例えば通信部２４の通信レートおよびＩＰアドレスの設定、パン駆動部２１およびチルト駆動部２２の初期化、画像入力部２０における固体撮像素子の初期化などが行われる。
【００４４】
ステップＳ２では、初期値化チェックを行う(後述)。
【００４５】
図４は、上記のステップＳ２に対応する動作で、初期値化チェックの動作を示すフローチャートである。
【００４６】
ステップＳ２１では、外部出力部２５から識別信号ＳＧ(図２)を送信する。
【００４７】
ステップＳ２２では、外部入力部２６で識別信号ＳＧを受信したかを判定する。換言すれば、接続ケーブル３Ａによって外部出力部２５の出力コネクタと外部入力部２６の入力コネクタとが接続されているか否かの判断が行われる。ここで、識別信号ＳＧを受信した場合には、ステップＳ２３に進み、受信していない場合には、ステップＳ２４に進む。
【００４８】
ステップＳ２３では、カメラ２Ａで設定される設定値を、工場出荷時の初期設定値（例えば、ＩＰ：１９６．１６８．＊．＊）に設定変更する。すなわち、カメラ２Ａの起動状態において出力コネクタと入力コネクタとが接続ケーブル３Ａを介して信号伝送可能に接続されることによって識別信号ＳＧが入力コネクタに入力される場合には、カメラ２Ａにおいて変更されたＩＰアドレス等の設定値が初期設定値に戻されることとなる。これにより、初期設定値から設定変更したＩＰアドレスをユーザが忘れても、カメラ２Ａへのアクセスや制御が不可能な状態に陥ることを防ぐことができる。
【００４９】
ステップＳ２４では、所定時間(例えば１秒)が経過したかを判定する。これは、カメラ２Ａの起動の際に一定時間だけ識別信号ＳＧが外部出力部２５から出力されるが、この一定時間以上の時間がカメラ起動時から経過したか否かを判断するための動作である。これにより、一定時間を経過して識別信号ＳＧを受信する可能性がない場合には、初期値化チェックの動作を打ち切って、次の工程に進めることとなる。
【００５０】
このステップＳ２４において、所定時間が経過した場合には、本フローチャートを抜け、所定時間が経過していない場合には、ステップＳ２２に戻る。
【００５１】
なお、ＩＰアドレスの初期値化を例に挙げて説明したが、ＷＥＰコードに関して初期設定値から変更された設定値がカメラ２Ａで設定されている場合には、ＷＥＰコードを初期設定値に戻すようにしても良い。
【００５２】
以上のカメラシステム１Ａの構成および動作により、外部出力部と外部入力部とを接続ケーブルで接続することでカメラの設定値を初期設定値に戻せるため、カメラに設けられる特定の操作部材によらずに簡単に初期設定値に戻すことができる。
【００５３】
すなわち、従来では初期値化するための専用の初期化スイッチ(図８参照)をカメラに設ける必要があったが、カメラ２Ａにおいては、これが不要となる。図５を参照して、具体的に説明する。
【００５４】
図５は、第１実施形態の効果を説明するための図である。図５(ａ)は、本実施形態のカメラ２Ａの外観を示し、図５(ｂ)は、従来のカメラ９の外観を示している。
【００５５】
カメラ２Ａおよびカメラ９は、電源コネクタＣＰ、出力コネクタＣＯおよび入力コネクタＣＩを備えている。そして、従来のカメラ９は、初期値化を行うための初期値化スイッチ９７をさらに有している。
【００５６】
したがって、本実施形態のカメラ２Ａでは、この従来のカメラ９における初期値化スイッチ９７のスペースＤＳを削減できるため、カメラを小型化でき、コストの低減も図れることとなる。
【００５７】
＜第２実施形態＞
図６は、本発明の第２実施形態に係るカメラシステム１Ｂの要部構成を示す機能ブロック図である。
【００５８】
カメラシステム１Ｂは、第１実施形態と同様に、ネットワークカメラ(以下では「カメラ」と略称する)２Ｂと、接続ケーブル３Ｂとを備えている。
【００５９】
カメラ２Ｂは、第１実施形態のカメラ２Ａと類似の構成を有しているが、制御部の構成が異なるとともに、カメラ２Ａの外部出力部２５および外部入力部２６の代わりに音声信号出力部２７および音声信号入力部２８が設けられている。
【００６０】
音声信号出力部２７は、音声出力用のコネクタ(音声出力コネクタ)を有し、カメラ２Ｂから音声信号を出力するための部位である。
【００６１】
音声信号入力部２８は、音声入力用のコネクタ(音声入力コネクタ)を有し、カメラ２Ｂに音声信号を入力するための部位である。
【００６２】
制御部２９Ｂは、ＣＰＵおよびメモリを有しており、カメラ２Ｂの動作を統括制御する部位である。
【００６３】
また、制御部２９Ｂは、電源オンによるカメラ２Ｂの起動の際には、図７に示す識別信号ＳＨを音声信号出力部２７から一定時間だけ出力させる制御を行う。この識別信号ＳＨは、例えば１ｋＨｚ(図７に示す周期Ｔｃ＝０.００１ｓ)の信号となっている。
【００６４】
＜カメラ２Ｂの初期値化＞
カメラ２Ｂでは、第１実施形態のカメラ２Ａと同様に、起動時に識別信号ＳＨ(図７)が音声信号出力部２７から出力されるが、この際、接続ケーブル３Ｂにより音声信号出力部２７の音声出力コネクタと音声信号入力部２８の音声入力コネクタとが接続されている場合には、識別信号ＳＨが音声信号入力部２８に入力されることとなる。
【００６５】
そして、音声信号入力部２８に入力された識別信号ＳＨを制御部２９Ｂが検出した場合には、制御部２９Ｂは、初期設定値から変更されたＩＰアドレスやＷＥＰコードなどの設定値を、カメラ２Ｂの工場出荷時に設定されていた初期設定値に戻す処理を行うこととする。
【００６６】
これにより、接続ケーブル３Ｂをカメラ２Ｂに接続した状態でカメラ２Ｂの起動を行えば、簡易にカメラ２Ｂで設定されている設定値を初期化できる。また、音声信号出力部２７および音声信号入力部２８のコネクタは、一般に普及している音声用のコネクタ形状となるため、コストの低減が図れることとなる。
【００６７】
以上のようなカメラ２Ａの動作については、図３および図４に示すフローチャートと同様の動作を行う。ただし、図４のステップＳ２１およびステップＳ２２では、音声信号出力部２７から識別信号ＳＨ(図７)が送信され、音声信号入力部２８で識別信号ＳＨを受信したかが判定される。
【００６８】
以上のカメラシステム１Ｂの構成および動作により、音声信号出力部と音声信号入力部とを接続ケーブルで接続することでカメラの設定値を初期設定値に戻せるため、カメラに設けられる特定の操作部材によらずに簡単に初期設定値に戻すことができる。
【００６９】
＜変形例＞
◎上記の各実施形態における外部センサについては、赤外センサに限らず、パトライトやブザーなどでも良い。
【００７０】
◎上記の各実施形態における入出力部を接続する手段として、ケーブルを用いるのは必須でなく、出力部から入力部に信号を伝送できる信号接続機器であれば何でも良い。
【図面の簡単な説明】
【００７１】
【図１】本発明の第１実施形態に係るカメラシステム１Ａの要部構成を示す機能ブロック図である。
【図２】外部出力部２５から出力される識別信号ＳＧを説明するための図である。
【図３】カメラ２Ａの基本的な動作を示すフローチャートである。
【図４】初期値化チェックの動作を示すフローチャートである。
【図５】第１実施形態の効果を説明するための図である。
【図６】本発明の第２実施形態に係るカメラシステム１Ｂの要部構成を示す機能ブロック図である。
【図７】音声信号出力部２７から出力される識別信号ＳＨを説明するための図である。
【図８】従来技術に係るネットワークカメラ９の要部構成を示す機能ブロック図である。
【符号の説明】
【００７２】
１Ａ、１Ｂ  カメラシステム
２Ａ、２Ｂ  ネットワークカメラ
３Ａ、３Ｂ  接続ケーブル
２５  外部出力部
２６  外部入力部
２７  音声信号出力部
２８  音声信号入力部
２９Ａ、２９Ｂ  制御部
ＳＧ、ＳＨ  識別信号
【図１】
2006054831.tif 000003
【図２】
2006054831.tif 000004
【図３】
2006054831.tif 000005
【図４】
2006054831.tif 000006
【図５】
2006054831.tif 000007
【図６】
2006054831.tif 000008
【図７】
2006054831.tif 000009
【図８】
2006054831.tif 000010